(57)【要約】【課題】外周部にソフトな感じを与え、高級感を出させることができるとともに、美麗な外観を呈することができるようにした椅子の背もたれを提供する。【解決手段】  外周部に前方に向かって凹入する段部７ｂを設けた上下方向を向くインナーシェル１の前面に、該インナーシェル１より外形が大きいクッション材２を取付け、該クッション材２を表皮材３で覆うとともに、クッション材２がインナーシェル１の外周縁より外方に突出するようにして、表皮材３の周縁部をインナーシェル１の裏面の段部７ｂに巻き込んで取付け、インナーシェル１の裏面に、クッション材２の外形より小さいアウターシェル４を取付け、インナーシェル１の段部７ｂとアウターシェル４の外周縁部との間に形成された間隙１５内に、表皮材３の周縁部を収容する。【選択図】図３
2005160896.tif 000002
【特許請求の範囲】
【請求項１】
外周部に前方に向かって凹入する段部を設けた上下方向を向くインナーシェルの前面に、該インナーシェルより外形が大きいクッション材を取付け、該クッション材を表皮材で覆うとともに、クッション材がインナーシェルの外周縁より外方に突出するようにして、表皮材の周縁部を前記インナーシェルの裏面の段部に巻き込んで取付け、前記インナーシェルの裏面に、クッション材の外形より小さいアウターシェルを取付け、前記インナーシェルの段部とアウターシェルの外周縁部との間に形成された間隙内に、表皮材の周縁部を収容したことを特徴とする椅子の背もたれ。
【請求項２】
表皮材の周縁部に形成した挿通部に締付紐条を挿通し、インナーシェルの裏面における段部内で前記締付紐条を引き締めて、表皮材の周縁部をすぼめるようにしたことを特徴とする請求項１記載の椅子の背もたれ。
【請求項３】
インナーシェルにおける段部より内側の裏面にアウターシェルの前面を当接させて、アウターシェルをインナーシェルに取り付けたことを特徴とする請求項１または２記載の椅子の背もたれ。
【請求項４】
段部の外側に、段部よりさらに前方に凹入するとともに、最外周縁に後方を向く折り返し部が設けられた第２段部を設け、この第２段部の後方にクッション材が外側から回り込むようにした請求項請求項１〜３のいずれか１項に記載の椅子の背もたれ用シート。
【請求項５】
インナーシェルの後面の幅方向中央部に、背もたれ杆が嵌まる凹部を形成したことを特徴とする請求項請求項１〜４のいずれか１項に記載の椅子の背もたれ用シート。
【発明の詳細な説明】
【技術分野】
【０００１】
本発明は、椅子の背もたれの構造に関する。
【背景技術】
【０００２】
従来の椅子の背もたれには、インナーシェル(中シェル)の前面にクッション材を取付け、該クッション材を表皮材で覆い、インナーシェルの後面にアウターシェル(外シェル)を取付けたものがある（例えば、特許文献１参照）。
【特許文献１】実公平７−２１１５４号公報
【発明の開示】
【発明が解決しようとする課題】
【０００３】
しかし、上述のような従来のものは、クッション材の後面全体がインナーシェルおよびアウターシェルにより覆われているので、背もたれの側端および上端が固い印象を与え、高級感に欠けるとともに、側端に当たったときの感触がよくない等の問題がある。
【０００４】
また、表皮材の周縁部に挿通部を形成し、その挿通部に挿通した締付紐条をインナーシェルの裏面において引き締めることにより、表皮材の周縁部をすぼめるようにする場合、締付紐条やそれによって引き締められた表皮材の周縁部が嵩張り、インナーシェルとアウターシェルとの間の間隙内に収まらなくなったり、それらがアウターシェルの外側に露呈して、見苦しくなったりするおそれがある。
【０００５】
本発明は、従来の技術が有する上記のような問題点に鑑み、クッション材およびそれを覆う表皮材がインナーシェルおよびアウターシェルの外側に突出するようにすることにより、外周部にソフトな感じを与え、高級感を出させることができるとともに、美麗な外観を呈することができ、しかも構造が簡単で容易に組み付けできるようにした椅子の背もたれを提供することを目的としている。
【課題を解決するための手段】
【０００６】
本発明によると、上記課題は、次のようにして解決される。
(１)  外周部に前方に向かって凹入する段部を設けた上下方向を向くインナーシェルの前面に、該インナーシェルより外形が大きいクッション材を取付け、該クッション材を表皮材で覆うとともに、クッション材がインナーシェルの外周縁より外方に突出するようにして、表皮材の周縁部を前記インナーシェルの裏面の段部に巻き込んで取付け、前記インナーシェルの裏面に、クッション材の外形より小さいアウターシェルを取付け、前記インナーシェルの段部とアウターシェルの外周縁部との間に形成された間隙内に、表皮材の周縁部を収容する。
【０００７】
(２)  上記(１)項において、表皮材の周縁部に形成した挿通部に締付紐条を挿通し、インナーシェルの裏面における段部内で前記締付紐条を引き締めて、表皮材の周縁部をすぼめるようにする。
【０００８】
(３)  上記(１)または(２)項において、インナーシェルにおける段部より内側の裏面にアウターシェルの前面を当接させて、アウターシェルをインナーシェルに取り付ける。
【０００９】
(４)  上記(１)〜(３)項のいずれかにおいて、段部の外側に、段部よりさらに前方に凹入するとともに、最外周縁に後方を向く折り返し部が設けられた第２段部を設け、この第２段部の後方にクッション材が外側から回り込むようにする。
【００１０】
(５)  上記(１)〜(４)項のいずれかにおいて、インナーシェルの後面の幅方向中央部に、背もたれ杆が嵌まる凹部を形成する。
【発明の効果】
【００１１】
本発明によると、次のような効果を奏することができる。
(ａ)請求項１記載の発明によると、クッション材およびそれを覆う表皮材がインナーシェルおよびアウターシェルの外側に突出するようにしたので、背もたれの側面に当接するものに対する衝撃を緩和できるとともに、外周部にソフトな感じを与え、高級感を出させることができる。
また、インナーシェルの外周部に前方に向かって凹入する段部を設け、この段部とアウターシェルの外周部との間に表皮材の周縁部を収容するようにしたので、表皮材の周縁部が嵩張っても見苦しくなることがなく、美麗な外観を保つことができ、しかも構造が簡単で容易に組み付けることができる。
【００１２】
(ｂ)請求項２記載の発明によると、インナーシェルの裏面側で、表皮材の周縁部に取付けた締付紐条を引き締めることにより、表皮材の周縁部をすぼめるようにしたので、表皮材に張りを持たせることができ、しかも、締付紐条やそれによって引き締められた表皮材の周縁部が嵩張ったとしても、それらを段部とアウターシェルの外周部との間に収容することができるので、それらがアウターシェルの外側に露呈して、見苦しくなったりすることがない。
【００１３】
(ｃ)請求項３記載の発明によると、インナーシェルにおける段部より内側の裏面にアウターシェルの前面を当接させて、アウターシェルをインナーシェルに取り付けたので、アウターシェルをがたつき等が生じることなく、強固にかつ確実にインナーシェルに取り付けることができる。
【００１４】
(ｄ)請求項４記載の発明によると、インナーシェルにおける第２段部の後方にクッション材が外側から回り込むようにしたことにより、インナーシェルの外周縁からのクッション材の剥離が防止されるとともに、第２段部がクッション材(２)の側端部の中央寄りに位置し、クッション材の側端部の芯材となって、クッション材の側端部の腰折れを防止することができる。
【００１５】
(ｅ)請求項５記載の発明によると、インナーシェルの後面の幅方向中央部に、背もたれ杆が嵌まる凹部を形成したので、背もたれ杆がインナーシェル内に収まり、薄型の背もたれでも背もたれ杆を厚さ方向に突出することなく取付けることができる。
【発明を実施するための最良の形態】
【００１６】
以下、本発明の一実施形態を図面に基づいて説明する。
図１は、本発明の一実施形態である椅子の背もたれの分解斜視図、図２は、同じくアウターシェルを除いた状態の背面斜視図、図３は、同じく、中央横断平面図である。
【００１７】
各図に示すように、椅子の背もたれ(Ａ)は、ほぼ上下方向を向くインナーシェル(１)と、インナーシェル(１)の前面に取付けられたクッション材(２)と、このクッション材(２)の表面を覆う表皮材(３)と、インナーシェル(１)の後面に取付けられたアウターシェル（４）とを備えている。
【００１８】
インナーシェル(１)は、合成樹脂または金属等の硬質材で形成されたもので、中央部にクッション材(２)の方向に突出した突出部(５)が形成され、この突出部(５)の裏側に凹部(６)が形成されている。この凹部(６)の両側および上側には、前外方へ傾斜した周縁部(７)が形成されている。
【００１９】
この周縁部(７)は、アウターシェル(４)が当接する当接部(7a)と、この当接部(7a)の外周縁から前方、すなわちクッション材(２)の方向に凹入する段部(７b)と、さらにこの段部(７b)の外周縁から前方に凹入するとともに、最外周縁に後方を向く折り返し部(７c)が設けられた第２段部(７d)とからなっている。
第２段部(７d)の後方には、クッション材(２)が外側から回り込み、インナーシェル(１)の外周縁からのクッション材(２)の剥離が防止されるとともに、第２段部(７d)がクッション材(２)の側端部の中央寄りに位置し、クッション材(２)の側端部の芯材となって、クッション材(２)の側端部の腰折れを防止しうるようになっている。
【００２０】
クッション材(２)は、インナーシェル(１)の前部から、前述のように第２段部(７d)の外側から後方に巻き込むように一体成形された発泡体からなるものである。このクッション材(２)は、インナーシェル(１)およびアウターシェル(４)の外周縁よりさらに外周方向に突出する突出部分(2a)が形成されており、この突出部分(2a)で他物との衝突時の衝撃を緩和することができるようになっている。
【００２１】
表皮材(３)はクッション材(２)の表面を覆うように取付けられている。表皮材(３)の周縁部(3a)は、インナーシェル(１)における段部(７b)の後面に沿うように折り返されている。
【００２２】
この周縁部(3a)の先端には袋状の挿通部(８)が形成されており、この挿通部(８)には可撓性の締付紐条(９)が挿通されている。そして、締付紐条(９)の両端部を引張って緊張させることにより、表皮材(３)の周縁部(3a)がインナーシェル(１)における段部(７b)の後面に沿うようにしてすぼめられる。これにより、表皮材(３)はクッション材(２)の表面で張りつめられた状態となる。
【００２３】
椅子の脚柱（図示せず）の上部に取付けられる背もたれ杆(10)は、インナーシェル(１)の凹部(６)内に嵌合され、かつ背もたれ杆(10)の中間連結板(11)に穿設された取付孔(12)(図１参照)に挿通させた止めねじ(13)をもってインナーシェル(１)の後面に固定されている。
【００２４】
アウターシェル(４)は、インナーシェル(１)の当接部(7a)の後面に当接し、かつ前面に形成された複数の係止片(14)をインナーシェル(１)の後面の係合部(図示せず)に係合させることにより、インナーシェル(１)の後面に強固に取付けられている。このアウターシェル(４)は、クッション材(２)の外形より小さく、かつインナーシェル(１)と同一かまたは若干広い形状であって、インナーシェル(１)の全体を覆い、段部(７b)との間に隙間(15)が形成されるようになっている。表皮材(３)の周縁部(3a)は、この隙間(15)に収容されている。
これにより、表皮材(３)の周縁部(3a)はアウターシェル(４)で覆われて外から見えることがなくなり、美観に優れた椅子となる。
【００２５】
なお、上記実施形態では、締付紐条(９)で表皮材(３)の周縁部(3a)をすぼめる例を示したが、締付紐条を使用しない場合にも適用可能である。
【図面の簡単な説明】
【００２６】
【図１】本発明の一実施形態を前側方より見た分解斜視図である。
【図２】同じく、背もたれ杆を取り付けたインナーシェルを後側方より見た斜視図である。
【図３】同じく、中央横断平面図である。
【符号の説明】
【００２７】
(Ａ)背もたれ
(１)インナーシェル
(２)クッション材
(2a)突出部分
(３)表皮材
(3a)周縁部
(４)アウターシェル
(５)突出部
(６)凹部
(７)周縁部
(7a)当接部
(7b) 段部
(7c)折り返し部
(7d)第２段部
(８)挿通部
(９)締付紐条
(10)背もたれ杆
(11)中間連結板
(12)取付孔
(13)止めねじ
(14)係止片
(15)隙間
【図１】
2005160896.tif 000003
【図２】
2005160896.tif 000004
【図３】
2005160896.tif 000005